(57)【要約】【課題】婦人が帽子を着用する場合、風などにより飛び散らないように帽子留めが必要で、ヘアーピンなどにより留められていた。しかし、種々の不便があり、ネックレスと一体となる帽子留め具の開発を課題とする。【解決手段】ネックレスの両端に形成される引き輪及び丸カンの部分に、鎖など前記のネックレスと同材など適宜の支持体二本を着脱自在に繋ぎ合わせ、その支持体の先端に付設したクリップによって帽子の縁などを係止する構成としたもので、着用者は外出先などで脱帽した場合、その帽子を首からぶら下げることになり、置き忘れなどを無くすことは勿論、この支持体の材質、デザインを選ぶことによってファッション性が得られる。【選択図】　図５
0003098083.tif 000002
【実用新案登録請求の範囲】
【請求項１】
着用中の帽子が風等によって吹き飛ばされないようにする帽子留め具において、一端に引き輪（１ａ）が他端に丸カン（１ｂ）が付設された本体ネックレス（１）と、一端に引き輪（３ａ）を他端に丸カン（３ｂ）などを介してクリップ（３ｃ）を繋いだ支持体（３）と、一端に引き輪（２ａ）を他端に丸カン（２ｂ）を付設した支持体（２）および今一つのクリップ（４）とを繋ぎ合わせることを特徴とするネックレス兼用の帽子留め具。
【請求項２】
二本の支持体（２）、（３）をその丸カン（２ｂ）と引き輪（３ａ）とを繋ぎ合わせて一体化し、その一体化した支持体の一端の引き輪（２ａ）に別体のクリップ（４）を係合することによって本体ネックレス（１）から独立した帽子留め具になることを特徴とする請求項１記載のネックレス兼用帽子留め具。
【考案の詳細な説明】
【０００１】
【考案の属する技術分野】
本考案は、ネックレスとして使用が可能であり、また、同時に帽子の留め具としても利用できる装身具に関する。
【０００２】
【従来の技術】
従来から、女性が着用する帽子は風に吹き飛ばされることが屡々であり、その対策として、ヘアーピンにより帽子の一端を頭髪に留めることが一般に行われていたが、最近では両端にクリップを取り付けた留め具を用いて帽子と衣服の襟とを繋ぐことや、ネックレスに別体の金具を延設してこのネックレスに帽子を繋ぐこともなされている（例えば実用新案文献１）。
【０００３】
【実用新案文献１】
実用新案登録第３０８３０８４号公報
【０００４】
【考案が解決しようとする課題】
従来の帽子留め具やネックレス型帽子留め具は、脱帽の際に帽子をクリップから外すことが必要であり、この帽子を何処かに置くとすればその持ち帰りを忘れないとも限らない。この不安を解消するために帽子を手に持っていたとすれば手の自由が奪われるという問題があった。
【０００５】
【課題を解決するための手段】
以上の課題を解決するために請求項１の考案におけるネックレス兼用帽子留め具は、一端に引き輪１ａが他端に丸カン１ｂが付設された本体ネックレス１の両端に、一端に引き輪３ａを他端に丸カン３ｂなどを介してクリップ３ｃを係止した支持体３と、一端に引き輪２ａを他端に丸カン２ｂを付設した支持体２およびクリップ４とを、それぞれ接続することによってネックレス兼用の帽子留め具としたものである。
【０００６】
また、請求項２の考案は、二本の支持体２、３をその丸カン２ｂと引き輪３ａとを繋ぎ合わせて一体化し、その一体化した支持体の一端の引き輪２ａに別体のクリップ４を係合することによって、本体ネックレス１から独立した帽子留め具とすることを可能としたものである。
【０００７】
【考案の実施の形態】
本考案の実施の形態を、図面を参照して説明する。先ず、図面の概要を説明すると図１は本考案に係る本体ネックレス部であり、図２、図３は支持体、図４はクリップ、図５の（ａ）は本体ネックレス部と支持体を接続したもの、（ｂ）は使用状態を示した側面図、図６は脱帽状態を示したもの、図７以下は使用の態様を示したものである。
【０００８】
本体ネックレス１は鎖などからなる通常のネックレスであって、その両端に引き輪１ａと丸カン１ｂが付設されている。一方の支持体２、３は前記と同様に鎖などからなり、その一端に引き輪２ａ、３ａが、他端には丸カン２ｂ、または３ｂ及びクリップ３ｃが付設されている。本考案はこの本体ネックレス１と支持体２、３、クリップ４を組み合わせることによってネックレスとして、或いは各種態様の帽子留め具として使用しうるものとしたものである。なお、ここで引き輪１ａ、２ａ、３ａとはパイプ状体からなる一部開口の円環状体であって、その開口部を該パイプ状体内部に装着した出没子で開閉する構造のものであり、丸カン１ｂ、２ｂ、３ｂとは単なる円環状のものを意味する。
【０００９】
【実施例１】
図５に示した実施例は、ロングネックレス型帽子留め具として使用する場合で、クリップ４、支持体２、本体ネックレス１及びクリップ３ｃ付き支持体３の順に繋ぎ、長い１本の帽子留め具に形成したものである（図５（ａ））。この帽子留め具の両端のクリップ３ｃ、４を帽子の後ろに並べて留め、これによって形成される帽子留め具の輪をロングネックレスとして首に掛けるものである（図５（ｂ））。
【００１０】
図６に示すものは、図５のロングネックレス型帽子留め具としての使用において、脱帽時の一態様である。
【００１１】
【実施例２】
図７に示した実施例は、図５の場合と同様に着帽した後、本体ネックレス１の引き輪１ａと丸カン１ｂを首の後ろで繋ぎ、ネックレス型帽子留め具として使用した場合の一態様である。
【００１２】
【実施例３】
図８の実施例は本体ネックレス１にクリップ３ｃ付き支持体３を繋ぐことにより、従来からあるネックレス型帽子留め具として使用できることを示したものである。
【００１３】
【実施例４】
図９に示した実施例は、クリップ４、支持体２、クリップ３ｃ付き支持体３の順に繋いで１本の帽子留め具を形成し、この帽子留め具の一端のクリップ４を帽子に、他端のクリップ３ｃを襟等に繋いで使用する。また、同時に本体ネックレス１を通常のネックレスとして使用した場合の一態様である。
【００１４】
【実施例５】
図１０に示した実施例は、本体ネックレス１と支持体２を輪状に繋いで、ロングネックレスとして使用した場合の一態様である。
【００１５】
【考案の効果】
この考案は、着脱がより簡単で、脱帽時の帽子を首から下げられることで帽子の紛失を防止し、着帽時には支持体の形や長さを好みのものに変えることができるので、実用的かつファッション性の高い帽子留め具となった。
【図面の簡単な説明】
【図１】図１は、本考案に係るネックレス兼用帽子留め具の本体ネックレス部を示したものである。
【図２】図２は、支持体の一例を示したものである。
【図３】図３は、クリップ付き支持体の一例を示したものである。
【図４】図４は、クリップを示したものである。
【図５】図５は、使用の態様を示したもので、（ａ）は本体ネックレスと二本の支持体及びクリップを繋いだ態様で、（ｂ）は着用状態である。
【図６】図６は脱帽時の一態様で、（ａ）は正面図、（ｂ）は背面図である。
【図７】図７は、使用態様の一例で、（ａ）は本体ネックレスと二本の支持体及びクリップを繋ぎ、本体ネックレスの両端を係合した状態を、（ｂ）はその着用状態を示す正面図、（ｃ）はその背面図で示している。
【図８】図８は、使用態様の一例で、（ａ）は本体ネックレスと一本の支持体を繋いだ状態、（ｂ）は着用状態の正面図、（ｃ）は背面図である。
【図９】図９は、本体ネックレスと支持体を別個に使用する態様を示したもので、（ａ）は二本の支持体を繋ぎ、さらにクリップを係止した図、（ｂ）は本体ネックレス図、（ｃ）は着用状態の正面図、（ｄ）は（ｃ）の背面図である。
【図１０】図１０は、（ａ）に本体ネックレスと一本の支持体を輪状に繋いだ状態を示し、（ｂ）は使用状態の正面図、（ｃ）はその背面図を示した。
【符号の説明】
１　本体ネックレス
２　支持体
３　クリップ付き支持体
１ａ，２ａ，３ａ　引き輪
１ｂ，２ｂ，３ｂ　丸カン
３ｃ，４　クリップ
【図１】
0003098083.tif 000003
【図２】
0003098083.tif 000004
【図３】
0003098083.tif 000005
【図４】
0003098083.tif 000006
【図５】
0003098083.tif 000007
【図６】
0003098083.tif 000008
【図７】
0003098083.tif 000009
【図８】
0003098083.tif 000010
【図９】
0003098083.tif 000011
【図１０】
0003098083.tif 000012